(57)【要約】      （修正有）【課題】人物等の認証対象を認証する場合に、秘匿性の高いデータを高い信頼性で安価に扱うことができる認証方法を提供する。【解決手段】認証システム１において、いずれかの人物認証サーバ１５＿１〜１５＿ｎは、認証用メタデータの更新条件を満たした場合に、管理サーバ１７が同期処理サーバ１９を仮想サーバとして生成する。人物認証サーバは、同期処理サーバに取得メタデータを送信する。同期処理サーバは、受信した取得メタデータを全ての人物認証サーバに送信して認証用メタデータを更新させた後に、消去される。【選択図】図１
2020161123.tif 000002
【特許請求の範囲】
【請求項１】
複数の認証装置の各々が、対応する撮像手段が撮像した映像に含まれる認証対象の認証部分の特徴を示す取得メタデータを取得する第１の工程と、
前記認証装置が、前記第１の工程で取得した前記取得メタデータと複数の認証用メタデータとを比較して認証を行う第２の工程と、
前記認証装置が、前記第２の工程で認証に成功した場合に、当該認証に成功した前記取得メタデータについて前記認証部位のデータであるかの確信度が前記複数の認証用メタデータの確信度のうち最も小さい確信度より大きいという更新条件を満たす場合に、管理サーバに認証用メタデータの更新要求を送信する第３の工程と、
前記前記管理サーバが前記認証装置から受信した前記更新要求に応じて同期処理サーバを生成する第４の工程と、
前記同期処理サーバが、前記更新要求を送信した前記認証装置から直接又は間接的に受信した前記取得メタデータを他の前記認証装置に送信する第５の工程と、
前記第５の工程で前記取得メタデータを受信した前記他の認証装置が、自らが認証で用いる複数の認証用メタデータのうち前記確信度が最も小さい前記認証用メタデータを、前記受信した取得メタデータで更新処理する第６の工程と
を有する認証方法。
【請求項２】
前記第２の工程において、前記認証装置は、複数の照合用認証対象の各々にそれぞれ対応付けられた複数の前記認証用メタデータと前記取得メタデータとを比較し、前記取得メタデータが前記複数の照合用認証対象のいずれかに一致しているかを認証する
【請求項３】
前記第５の工程において、前記同期処理サーバが、前記取得メタデータと共に受信した前記認証対象識別情報を前記他の認証装置に送信し、
前記第６の工程において、前記他の認証装置が、受信した前記認証対象識別情報を基に、前記更新処理を行う
請求項２に記載の認証方法。
【請求項４】
前記第３の工程において、前記認証装置は、前記撮像した映像に含まれる認証対象の認証部分の画像データを基に、前記取得メタデータの前記確信度を計算し、
前記認証用メタデータには、予め計算された前記確信度が対応付けられている
請求項３に記載の認証方法。
【請求項５】
前記認証対象の認証部分が人間の顔である場合に、前記認証装置は、認証対象の認証部分の画像データから、人間の頭、左右目及び口の輪郭を特定し、
前記特定した頭の幅Ｌｆと、前記特定した左右目の重心位置の距離Ｌｅと、前記特定した口の重心位置と前記左右目の重心位置との距離Ｌｍとを基に、前記確信度を計算する
【請求項６】
前記第２の工程において、前記認証装置は、複数の前記認証用メタデータと前記取得メタデータとを基に、顔の輪郭、顔の特定部位間の距離及び角度の一致度合いを示す一致度データを算出し、当該一致度データを基に前記認証を行う
【請求項７】
前記第３の工程は、前記確信度が所定の基準値を超え、且つ、当該確信度が前記複数の認証用メタデータの確信度のうち最も小さい確信度より大きい場合に、前記更新条件を満たすと判断する
【請求項８】
前記第５の工程の後に、前記管理サーバが前記同期処理サーバを消去する第７の工程
をさらに有する
請求項１〜７のいずれかに記載の認証方法。
【請求項９】
前記撮像手段と前記認証装置とを収容したカメラ
を有する請求項１〜８のいずれかに記載の認証方法。
【請求項１０】
前記取得メタデータ及び前記認証用メタデータは、人物の顔又は体型（骨格、身長）の特徴データ、性別データ、年齢データ、歩幅データ、歩行速度データ、重心位置データの少なくとも一つを含む
請求項１〜９のいずれかに記載の認証方法。
【請求項１１】
複数の撮像手段と、
前記複数の撮像手段の各々に対応した複数の認証装置と、
管理装置と
を有し、
前記複数の認証装置の各々が、対応する前記撮像手段が撮像した映像に含まれる認証対象の認証部分の特徴を示す取得メタデータを取得する第１の工程と、
前記認証装置が、前記第１の工程で取得した前記取得メタデータと複数の認証用メタデータとを比較して認証を行う第２の工程と、
前記認証装置が、前記第２の工程で認証に成功した場合に、当該認証に成功した前記取得メタデータについて前記認証部位のデータであるかの確信度が前記複数の認証用メタデータの確信度のうち最も小さい確信度より大きいという更新条件を満たす場合に、管理サーバに認証用メタデータの更新要求を送信する第３の工程と、
前記前記管理サーバが前記認証装置から受信した前記更新要求に応じて同期処理サーバを生成する第４の工程と、
前記同期処理サーバが、前記更新要求を送信した前記認証装置から直接又は間接的に受信した前記取得メタデータを他の前記認証装置に送信する第５の工程と、
前記第５の工程で前記取得メタデータを受信した前記他の認証装置が、自らが認証で用いる複数の認証用メタデータのうち前記確信度が最も小さい前記認証用メタデータを、前記受信した取得メタデータで更新処理する第６の工程と
を有する認証システム。
【請求項１２】
前記第５の工程の後に、前記管理サーバが前記同期処理サーバを消去する第７の工程
をさらに有する
請求項１１に記載の認証システム。
【発明の詳細な説明】
【技術分野】
【０００１】
本発明は、認証方法、そのシステム及び管理サーバに関するものである。
【背景技術】
【０００２】
従来は人物認証システムは、図９に示すように、監視撮像手段の映像用いて、人物の顔の特徴を検出し、特徴として抽出したデータの同一性を比較して個人を特定する、特徴抽出型の技術が用いられてきた。これに対して、近年急速に成長している人工知能技術で、ディープラーニングの手法を用いる事で、人物の顔に加え、人体の他の特徴も加えて判定することでカメラ２１３で撮影した顔の映像が十分でない場合でも、個人を特定できる技術が開発されている
人物認証の分野において、従来は、図９に示すように、カメラ２１３と人物認証サーバ２１９を接続し、人物認証サーバ２１９において、カメラ２１３の映像を分析し、予め登録された人物認証データと突合して人物を特定する。
【０００３】
複数の施設に渡って、同一の人物を発見するような用途では、従来のシステムでは、図１０に示すように、データセンタやクラウドセンターに大型の人物認証サーバ２１９を配備して、各施設には、画像処理サーバ２１５を配備して、処理負荷の重い人物の画像の切り出しを行い、切出した人物の画像を人物認証サーバ２１９に送信して、その後の処理は全てデーターセンタ又はクラウドセンタに配備された人物認証サーバ２１９で処理を行う。
【発明の概要】
【発明が解決しようとする課題】
【０００４】
しかしながら、図１０に示すシステムでは、画像処理サーバ２１５から人物認証サーバ２１９に人物の映像が含まれるデータを送るため、個人情報保護の観点からとても高いセキュリティを保つ環境の構築が必要で、保守や運用のコストが大変高額になる問題がある。
【０００５】
また、ディープラーニングの技術を使う用途では、ディープラーニングの技術の特徴である「再学習による性能が向上する」利点を活かす仕組みが求められるため、例えば図１０に示すシステムのセキュリティの問題を回避すべく、各施設には図９に示すシステムを導入し、例えば再学習等により向上した人物認証データに入れ替える場合には、人為的に全ての施設を入れ替えて回る作業を行う方法もあるが、頻繁にデータを入れ替える必要のある場合、実運用上現実的ではない問題を抱えていた。
【０００６】
本発明はかかる事情に鑑みてなされたものであり、その目的は、人物等の認証対象を認証する場合に、秘匿性の高いデータを高い信頼性で安価に扱うことができ、且つデープラーニングの技術を使う場合に求められる再学習による性能の向上を自動的に行うことができる認証方法、そのシステム及び管理サーバを提供することにある。
【課題を解決するための手段】
【０００７】
上述した従来技術の問題点を解決し、上述した目的を達成するために、本発明の認証方法は、複数の認証装置の各々が、対応する撮像手段が撮像した映像に含まれる認証対象の認証部分の特徴を示す取得メタデータを取得する第１の工程と、前記認証装置が、前記第１の工程で取得した前記取得メタデータと複数の認証用メタデータとを比較して認証を行う第２の工程と、前記認証装置が、前記第２の工程で認証に成功した場合に、当該認証に成功した前記取得メタデータについて前記認証部位のデータであるかの確信度が前記複数の認証用メタデータの確信度のうち最も小さい確信度より大きいという更新条件を満たす場合に、管理サーバに認証用メタデータの更新要求を送信する第３の工程と、前記前記管理サーバが前記認証装置から受信した前記更新要求に応じて同期処理サーバを生成する第４の工程と、前記同期処理サーバが、前記更新要求を送信した前記認証装置から直接又は間接的に受信した前記取得メタデータを他の前記認証装置に送信する第５の工程と、前記第５の工程で前記取得メタデータを受信した前記他の認証装置が、自らが認証で用いる複数の認証用メタデータのうち前記確信度が最も小さい前記認証用メタデータを、前記受信した取得メタデータで更新処理する第６の工程とを有する。
【０００８】
好適には、前記第２の工程において、前記認証装置は、複数の照合用認証対象の各々にそれぞれ対応付けられた複数の前記認証用メタデータと前記取得メタデータとを比較し、前記取得メタデータが前記複数の照合用認証対象のいずれかに一致しているかを認証する。
【０００９】
好適には、前記第５の工程において、前記同期処理サーバが、前記取得メタデータと共に受信した前記認証対象識別情報を前記他の認証装置に送信し、前記第６の工程において、前記他の認証装置が、受信した前記認証対象識別情報を基に、前記更新処理を行う。
【００１０】
好適には、前記第３の工程において、前記認証装置は、前記撮像した映像に含まれる認証対象の認証部分の画像データを基に、前記取得メタデータの前記確信度を計算し、前記認証用メタデータには、予め計算された前記確信度が対応付けられている。
【００１１】
好適には、前記認証対象の認証部分が人間の顔である場合に、前記認証装置は、認証対象の認証部分の画像データから、人間の頭、左右目及び口の輪郭を特定し、前記特定した頭の幅Ｌｆと、前記特定した左右目の重心位置の距離Ｌｅと、前記特定した口の重心位置と前記左右目の重心位置との距離Ｌｍとを基に、前記確信度を計算する。
【００１２】
好適には、前記第２の工程において、前記認証装置は、複数の前記認証用メタデータと前記取得メタデータとを基に、顔の輪郭、顔の特定部位間の距離及び角度の一致度合いを示す一致度データを算出し、当該一致度データを基に前記認証を行う。
【００１３】
好適には、前記第３の工程は、前記確信度が所定の基準値を超え、且つ、当該確信度が前記複数の認証用メタデータの確信度のうち最も小さい確信度より大きい場合に、前記更新条件を満たすと判断する。
【００１４】
好適には、前記第５の工程の後に、前記管理サーバが前記同期処理サーバを消去する第７の工程をさらに有する。
【００１５】
好適には、前記撮像手段と前記認証装置とを収容したカメラを有する。
【００１６】
好適には、前記取得メタデータ及び前記認証用メタデータは、人物の顔又は体型（骨格、身長）の特徴データ、性別データ、年齢データ、歩幅データ、歩行速度データ、重心位置データの少なくとも一つを含む。
【００１７】
本発明の認証システムは、複数の撮像手段と、前記複数の撮像手段の各々に対応した複数の認証装置と、管理装置とを有し、前記複数の認証装置の各々が、対応する前記撮像手段が撮像した映像に含まれる認証対象の認証部分の特徴を示す取得メタデータを取得する第１の工程と、前記認証装置が、前記第１の工程で取得した前記取得メタデータと複数の認証用メタデータとを比較して認証を行う第２の工程と、前記認証装置が、前記第２の工程で認証に成功した場合に、当該認証に成功した前記取得メタデータについて前記認証部位のデータであるかの確信度が前記複数の認証用メタデータの確信度のうち最も小さい確信度より大きいという更新条件を満たす場合に、管理サーバに認証用メタデータの更新要求を送信する第３の工程と、前記前記管理サーバが前記認証装置から受信した前記更新要求に応じて同期処理サーバを生成する第４の工程と、前記同期処理サーバが、前記更新要求を送信した前記認証装置から直接又は間接的に受信した前記取得メタデータを他の前記認証装置に送信する第５の工程と、前記第５の工程で前記取得メタデータを受信した前記他の認証装置が、自らが認証で用いる複数の認証用メタデータのうち前記確信度が最も小さい前記認証用メタデータを、前記受信した取得メタデータで更新処理する第６の工程とを有する。
【００１８】
好適には、前記第５の工程の後に、前記管理サーバが前記同期処理サーバを消去する第７の工程をさらに有する。
【発明の効果】
【００１９】
本発明によれば、人物等の認証対象を認証する場合に、秘匿性の高いデータを高い信頼性で安価に扱うことができる認証方法、そのシステム及び管理サーバを提供することができる。
【図面の簡単な説明】
【００２０】
【図１】図１は、本発明の第１実施形態に係わる認証システムの全体構成図である。
【図２】図２は、図１に示す人物認証サーバの機能ブロック図である。
【図３】図３は、図１に示す人物認証サーバの認証処理を説明するための図である。
【図４】図４は、図１に示す人物認証サーバの確信度算出を説明するための図である。
【図５】図５は、図１に示す管理サーバの機能ブロック図である。
【図６】図６は、図１に示す認証システムの動作例を説明するためのフローチャートである。
【図７】図７は、本発明の第２実施形態に係わる認証システムの全体構成図である。
【図８】図８は、本発明の第３実施形態に係わる認証システムの動作例を説明するためのフローチャートである。
【図９】図９は、従来の認証システムの第１の例を説明するための全体構成図である。
【図１０】図１０は、従来の認証システムの第２の例を説明するための全体構成図である。
【発明を実施するための形態】
【００２１】
以下、本発明の実施形態に係わる認証システムを説明する。
＜第１実施形態＞
図１は、本発明の第１実施形態に係わる認証システム１の全体構成図である。
図１に示すように、認証システム１は、例えばカメラ１３＿１〜１３＿ｎ、人物認証サーバ１５＿１〜１５＿ｎ、管理サーバ１７及び同期処理サーバ１９を有する。
【００２２】
認証システム１は、映像監視における自己成長型アルゴリズムを用いたセキュリティの高い認証データベースシステムである。
近年、人工知能（ＡＩ：Artificial Intelligence）の技術でディープラーニング（ＤＬ：Deep Learning）を用いた優れた映像分析ができるようになった。
【００２３】
認証システム１は、ディープラーニングによる人物認証を用いることで、高い自動認識性能を有し、且つ高いセキュリティ性能を持つことができるシステムを提供する。
【００２４】
［カメラ１３＿１〜１３＿ｎ］
カメラ１３＿１〜１３＿ｎは、映像を撮像する撮像手段を有しており、撮像した映像データを人物認証サーバ１５＿１〜１５＿ｎにそれぞれ出力する。ｎは、２以上の整数である。
【００２５】
なお、カメラ１３＿１〜１３＿ｎは、例えば、ネットワークアドレスが割り当てられておらず、ハッキングされない。
【００２６】
［人物認証サーバ１５＿１〜１５＿ｎ］
図２は、図１に示す人物認証サーバ１５＿１〜１５＿ｎの機能ブロック図である。
図２に示すように、人物認証サーバ１５＿１〜１５＿ｎは、例えば、インタフェース２７、メモリ２９、データベース３１及び処理部３３を有する。
【００２７】
インタフェース２７は、対応するカメラ１３＿１〜１３＿ｎから映像データを入力する。
また、インタフェース２７は、ネットワークを介して、管理サーバ１７及び同期処理サーバ１９と通信を行う。
【００２８】
メモリ２９は、処理部３３が実行するプログラム、並びに当該プログラムの実行に用いられるデータが記憶されている。
データベース３１は、例えば、複数の照合用認証対象（例えば複数の人物）の認証部位（例えば人物の顔）各々について、それぞれ対応付けられた複数の認証用メタデータを記憶している。本実施形態では、認証用メタデータは、人物の顔の特徴情報である。
複数の照合用認証対象には、それぞれ当該対象を識別する認証対象識別情報（人物ＩＤ）が割り当てられており、各認証用メタデータには当該認証対象識別情報が対応付けられている。
【００２９】
処理部３３は、メモリ２９から読み出したプログラムを実行し、以下に示す処理を行う。
【００３０】
処理部３３は、対応するカメラ１３＿１〜１３＿ｎから入力した映像データを解析し、当該映像データに含まれる認証対象の所定の認証部位（例えば、顔）の特徴を抽出し、それを示す取得メタデータを生成する。
具体的には、処理部３３は、映像データをディープラーニングによる映像を映像分析により、映像に含まれる人物の映像情報を解析した取得メタデータを出力する。
【００３１】
本実施形態のメタデータは、人物の顔又は体型（骨格、身長）の特徴データ、性別データ、年齢データ、歩幅データ、歩行速度データ、重心位置データの少なくとも一つを含む。
本実施形態では、メタデータは、前述したように、顔の特徴データである。
【００３２】
処理部３３は、当該生成した取得メタデータと、データベース３１から読み出した複数の認証用メタデータとを比較して人物の認証を行う。
【００３３】
人物認証サーバ１５＿１〜１５＿ｎの各々は、取得メタデータと、データベース３１から読み出した複数の照合用認証対象（複数の人物の顔）の各々の複数の認証用メタデータとを基に、顔の輪郭、顔の特定部位間の距離及び角度等の特徴データの一致度合い示す一致度データを算出し、当該一致度データを基に認証を行う。すなわち、人物認証サーバ１５＿１〜１５＿ｎは、複数の照合用認証対象の複数の認証用メタデータうち、いずれか一つでも取得メタデータと一致度が所定の基準を超えた場合には、当該一致度が超えた認証用メタデータの照合用認証対象の人物であると認証する。
【００３４】
図４は、図１に示す人物認証サーバ１５＿１〜１５＿ｎの認証処理を説明するための図である。
処理部３３は、認証に用いる一致度を以下に示すように算出する。
処理部３３は、取得メタデータと、認証用メタデータとの差（本人の顔と他人の顔の特徴の差）を数字に変換し、違いの大きさを示す一致度によって、本人と一致するかどうかを判定する。
処理部３３は、完全一致を０として、１００までの数字の大きさにより、本人ではない度合いを一致度として算出する。
図５は、撮像画像の顔画像において、Ｆ００〜Ｆ１３は顔の輪郭の特徴となる点を示す。
処理部３３は、撮像対象の認証部分（人物の顔）毎に、Ｆ００-Ｆ０１の距離及び角度を計算する。
また、処理部３３は、Ｆ０１-Ｆ０１の距離及び角度を計算する。
【００３５】
処理部３３は、同様に、Ｆ０１-Ｆ０２, Ｆ０２-Ｆ０３, Ｆ０２-Ｆ１０….Ｆ１３-Ｆ００のそれぞれの距離と角度を計算する。
処理部３３は、同様に、目、鼻、口に対して輪郭の特徴となる点の互いの距離及び角度を計算する。
処理部３３は、同一人物かどうかの判定で、各特徴となる点間の距離と角度の数値の差を計算する。
処理部３３は、各特徴となる点間の距離と角度の数字の総合計値に対して、２つの人物の特徴となる点間の距離rと角度の差の数字の総合計が、４０％未満の数字であれば、本人との「一致度」が高い（認証成功）と判断する。処理部３３は、この差分を、２０％以内、５％以内のように、「一致度」の厳しさ（しきい値）により、本人である精度を調整して利用する。
【００３６】
処理部３３は、第１の基準値を超えた一致度であれば認証成功とする。
ここで、認証用データが、本人が協力して適切な環境で取得したホワイトリストデータである場合には９９．５％以上の一致度で認証成功とし、ホワイトリストデータ以外のブラックリストデータであれば８０％以上の一致度で認証成功としてもよい。
なお、処理部３３による一致度の計算は上述した方法に限定されない。
【００３７】
処理部３３は、認証結果をカメラ１３＿１〜１３＿ｎあるいは所定のサーバに送信する。例えば、人物認証サーバ１５＿１〜１５＿ｎは、認証に成功した場合に、データベース３１に登録された認証対象識別情報（人物ＩＤ）を送信する。すなわち、人物認証サーバ１５＿１〜１５＿ｎは、前述した認証において一致度が超えた認証用メタデータの照合用認証対象の人物の認証対象識別情報を、その取得メタデータと共に後述する同期処理サーバ１９に送信する。また、このとき、処理部３３は、自らの人物認証サーバ１５＿１〜１５＿ｎの認証サーバ識別情報も同期処理サーバ１９に送信する。
【００３８】
処理部３３は、上述した認証成功した場合に、当該認証に成功した取得メタデータについて認証部位のデータであるかの確信度を算出する。
そして、処理部３３は、当該算出した確信度が所定の基準値を超え、且つ上記複数の認証用メタデータの確信度のうち最も小さい確信度より大きいという更新条件を満たしたか否かを判断し、当該更新条件を満たした場合に管理サーバ１７に認証用メタデータの更新要求を、認証対象識別情報及び認証サーバ識別情報と共に送信する。
管理サーバ１７は、当該更新要求に応じて、同期処理サーバ１９を生成する。
【００３９】
処理部３３は、以下のように上記確信度を算出する。
すなわち、処理部３３は、認証対象の認証部分が人間の顔である場合に、当該認証対象の認証部分の画像データから、人間の頭、左右目及び口の輪郭を特定する。そして、処理部３３は、当該特定した頭の幅Ｌｆと、当該特定した左右目の重心位置の距離Ｌｅと、当該特定した口の重心位置と前記左右目の重心位置との距離Ｌｍとを算出し、これらを基に確信度を計算する。
【００４０】
具体的には、処理部３３は、以下のようにして確信度を計算する。
図４は、図１に示す人物認証サーバ１５＿１〜１５＿ｎの確信度算出を説明するための図である。
処理部３３は、撮像画像から、「人間の顔」である可能性の高さを「確信度」の数字で表現する。
処理部３３は、確信度を０〜１００の数字で、数字が大きければ確信度が高い、すなわち、画像は顔であると判断する。
処理部３３は、人間の頭の輪郭を特定し、その幅をＬｆとする。
処理部３３は、人間の両目の輪郭を特定し、各々の目の重心位置の距離をＬｅとする。
処理部３３は、人間の口を特定し、口の重心位置と目の重心位置の距離をＬｍとする。
【００４１】
処理部３３は、頭、目、口を特定できない場合は、顔の確信度はゼロとする。
処理部３３は、Ｌｆ=１．８*Ｌｅ&#12316;２．２Ｌｅの場合 頭と目の位置情報から 確信度１を５０とする。
処理部３３は、Ｌｆ=１．５*Ｌｅ&#12316;１．８Ｌｅの場合 頭と目の位置情報から 確信度１を２５とする。
処理部３３は、Ｌｆ=２．２*Ｌｅ&#12316;２．７Ｌｅの場合 頭と目の位置情報から 確信度１を２５とする。
それ以外の場合、確信度１を０とする。
【００４２】
処理部３３は、Ｌｆ=０．４*Ｌｍ&#12316;０．６Ｌｍの場合、目と口の位置関係から 確信度２を５０とする。
処理部３３は、Ｌｆ=０．２*Ｌｍ&#12316;０．４Ｌｍの場合、目と口の位置関係から 確信度２を２５とする。
処理部３３は、Ｌｆ=０．６*Ｌｍ&#12316;０．８Ｌｍの場合、目と口の位置関係から 確信度２を２５とする。
それ以外の場合、確信度２を０とする。
【００４３】
処理部５３は、確信度＝確信度１の値+確信度２の値とし、確信度＞＝５０（基準値）の場合、利用可能な「顔」の画像と判断する。すなわち、確信度が所定の基準値を超えたと判断する。
【００４４】
なお、確信度の判定は、例えば、以下のようにしてもよい。論理的に理想の顔の映像を撮影し、人工知能のアルゴリズムによってメタデータを取得した場合に得られる品質を１００とした場合、例えば顔を撮影するカメラの角度が真正面ではなく、上下、又は左右に傾いた状態や、光のあたりかたが均一ではなく、右目の方向からやや強い光が差し込んだ状態、又はサングラスをかけた、状態、帽子のひさしで顔の一部が隠れた状態などで、品質が下がって行く。この品質の状態を数字に換算し、０から１００の度合いに分け確信度とする。
なお、処理部３３による確信度の計算は上述した方法に限定されない。
【００４５】
処理部３３は、上記認証に成功し、且つ上記更新条件を満たした場合に、管理サーバ１７に認証用メタデータの更新要求を送信する。
このとき、処理部３３は、認証装置（自ら）のＩＤと、更新する対象の識別情報（人物ＩＤ）とを管理サーバ１７に送信する。
【００４６】
処理部３３は、管理サーバ１７が生成した仮想サーバである同期処理サーバ１９からの要求に応じて、取得メタデータ、その認証対象識別情報、自らの認証サーバ識別情報を同期処理サーバ１９に送信する。
【００４７】
処理部３３は、同期処理サーバ１９から更新のための取得メタデータを受信すると、それを用いてデータベース３１に記憶された認証用メタデータを更新する。具体的には、処理部３３は、受信した認証対象識別情報に対応する人物の複数の認証用メタデータのうち確信度が最も小さい認証用メタデータを、当該受信した取得メタデータで更新する更新処理を行う。
【００４８】
［管理サーバ１７］
図３は、図１に示す管理サーバ１７の機能ブロック図である。
図３に示すように、管理サーバ１７は、例えば、インタフェース４７、メモリ４９、データベース５１及び処理部５３を有する。
【００４９】
インタフェース４７は、人物認証サーバ１５＿１〜１５＿ｎ及び同期処理サーバ１９と通信を行う。
【００５０】
メモリ４９は、処理部５３が実行するプログラム、並びに当該プログラムの実行に用いられるデータが記憶されている。
データベース４１は、例えば、人物認証サーバ１５＿１〜１５＿ｎに関するデータが記憶されている。
【００５１】
処理部５３は、メモリ４９から読み出したプログラムを実行し、以下に示す処理を行う。
処理部５３は、人物認証サーバ１５＿１〜１５＿ｎから認証用メタデータの更新要求を受信すると、同期処理サーバ１９を仮想サーバとして生成する。処理部５３は、更新要求を送信した人物認証サーバ１５＿１〜１５＿ｎから受信した更新する対象の認証対象識別情報（人物ＩＤ）と、更新要求を出した人物認証サーバ１５＿１〜１５＿ｎの認証サーバ識別情報を同期処理サーバ１９に送信する。
【００５２】
処理部５３は、同期処理サーバ１９が取得メタデータを他の人物認証サーバ１５＿１〜１５＿ｎに送信する処理を完了すると、同期処理サーバ１９を消去する。
【００５３】
［同期処理サーバ１９］
同期処理サーバ１９は、管理サーバ１７によって生成される。
すなわち、管理サーバ１７は、何もないところから同期処理サーバ１９を新に生成したり、同期処理サーバ１９に係るプログラムを起動させる。
【００５４】
同期処理サーバ１９は、管理サーバ１７から、更新要求を出した人物認証サーバ１５＿１〜１５＿ｎの認証サーバ識別情報と、更新する対象の認証対象識別情報（人物ＩＤ）とを受信する。
同期処理サーバ１９は、上記受信した認証サーバ識別情報を基に、更新要求を出した人物認証サーバ１５＿１〜１５＿ｎに、取得メタデータを要求する。このとき、認証対象識別情報を送信してもよい。
同期処理サーバ１９は、上記要求に応じて、人物認証サーバ１５＿１〜１５＿ｎから取得メタデータを受信すると、他の人物認証サーバ１５＿１〜１５＿ｎに当該取得メタデータを、認証対象識別情報と共に送信する。同期処理サーバ１９は、当該送信が完了すると、その旨を管理サーバ１７に通知する。
また、同期処理サーバ１９は、当該送信を完了すると、管理サーバ１７によって消去される。
【００５５】
以下、図１に示す認証システム１の動作例を説明する。
図６は、図１に示す認証システム１の動作例を説明するためのフローチャートである。
以下、図６に示す各ステップを説明する。
【００５６】
ステップＳＴ１：
カメラ１３＿１〜１３＿ｎは、映像を撮像する撮像手段を有しており、撮像した映像データを人物認証サーバ１５＿１〜１５＿ｎにそれぞれ出力する。
【００５７】
ステップＳＴ２：
人物認証サーバ１５＿１〜１５＿ｎは、対応するカメラ１３＿１〜１３＿ｎから入力した映像データを解析し、当該映像データに含まれる認証対象の所定の認証部位（例えば、顔）の特徴を抽出し、それを示す取得メタデータを生成する。
【００５８】
ステップＳＴ３：
人物認証サーバ１５＿１〜１５＿ｎは、ステップＳＴ２で生成した取得メタデータと、データベース３１から読み出した複数の認証用メタデータとを比較して人物の認証を行う。
人物認証サーバ１５＿１〜１５＿ｎは、例えば、複数の認証用データのうち、何れか一つでも所定の基準値（例えば９５％）を超えた一致度であれば認証成功とする。
人物認証サーバ１５＿１〜１５＿ｎは、認証結果をカメラ１３＿１〜１３＿ｎあるいは管理サーバ１７等の所定のサーバに送信する。例えば、人物認証サーバ１５＿１〜１５＿ｎは、認証に成功した場合に、当該認証した認証対象の認証対象識別情報を管理サーバ１７等に送信する。
【００５９】
ステップＳＴ４：
ステップＳＴ３で認証に成功した場合はステップＳＴ５に進み、そうでない場合はステップＳＴ１に戻る。
【００６０】
ステップＳＴ５：
人物認証サーバ１５＿１〜１５＿ｎｈ、ステップＳＴ３での認証成功した場合に、当該認証に成功した取得メタデータについて認証部位のデータであるかの確信度を算出する。
そして、人物認証サーバ１５＿１〜１５＿ｎは、当該算出した確信度が所定の基準値を超え、且つ上記複数の認証用メタデータの確信度のうち最も小さい確信度より大きいという更新条件を満たしたか否かを判断し、当該更新条件を満たした場合にステップＳＴ６に進み、そうでない場合にステップＳＴ１に戻る。
【００６１】
ステップＳＴ６：
ステップＳＴ３，ＳＴ５で肯定判定をした人物認証サーバ１５＿１〜１５＿ｎが、管理サーバ１７に認証用メタデータの更新要求を、認証対象識別情報及び認証サーバ識別情報と共に送信する。
また、当該更新要求を出した人物認証サーバ１５＿１〜１５＿ｎは、認証対象識別情報に対応する人物の複数の認証用メタデータのうち確信度が最も小さい認証用メタデータを、当該受信した取得メタデータで更新する更新処理を行う。
【００６２】
ステップＳＴ７：
管理サーバ１７は、同期処理サーバ１９を仮想サーバとして生成する。
【００６３】
ステップＳＴ８：
同期処理サーバ１９が、ステップＳＴ３，ＳＴ５で肯定判定をした人物認証サーバ１５＿１〜１５＿ｎに対して取得メタデータの要求を送信する。
具体的には、同期処理サーバ１９は、管理サーバ１７から、更新要求を出した人物認証サーバ１５＿１〜１５＿ｎの認証サーバ識別情報と、更新する対象の認証対象識別情報（人物ＩＤ）とを受信する。
そして、同期処理サーバ１９は、上記受信した認証サーバ識別情報を基に、更新要求を出した人物認証サーバ１５＿１〜１５＿ｎに、認証対象識別情報と共に、取得メタデータを要求する。
【００６４】
ステップＳＴ９：
ステップＳＴ８で同期処理サーバ１９から要求を受信した人物認証サーバ１５＿１〜１５＿ｎが、同期処理サーバ１９に取得メタデータを送信する。
【００６５】
ステップＳＴ１０：
同期処理サーバ１９が、ステップＳＴ９で受信した取得メタデータ及びその認証対象識別情報を、更新要求を出した人物認証サーバ１５＿１〜１５＿ｎを除く他の全ての人物認証サーバ１５＿１〜１５＿ｎに送信する。
【００６６】
ステップＳＴ１１：
上記他の人物認証サーバ１５＿１〜１５＿ｎは、ステップＳＴ１０で同期処理サーバ１９から取得メタデータ及び認証対象識別情報を受信すると、それに対応するデータベース３１に記憶された認証用メタデータを更新する。具体的には、人物認証サーバ１５＿１〜１５＿ｎは、受信した認証対象識別情報に対応する人物の複数の認証用メタデータのうち確信度が最も小さい認証用メタデータを、当該受信した取得メタデータで更新する更新処理を行う。
【００６７】
ステップＳＴ１２：
管理サーバ１７は、同期処理サーバ１９を消去する。
【００６８】
以上説明したように、認証システム１によれば、いずれかの人物認証サーバ１５＿１〜１５＿ｎにおいて、取得メタデータが所定の更新条件を満たした場合、全ての人物認証サーバ１５＿１〜１５＿ｎに新たな認証用メタデータとして登録できる。これにより、人物認証サーバ１５＿１〜１５＿ｎにおける認証精度を高めることができる。すなわち、認証対象の人物が年齢等によって変化した場合でも、その変化に応じて認証データを更新できる。また、デープラーニングの技術を使う場合に求められる再学習による性能の向上を自動的に行うことができる。
【００６９】
また、認証システム１によれば、いずれかの人物認証サーバ１５＿１〜１５＿ｎにおいて所定の更新条件を満たすと判断された取得メタデータを全ての人物認証サーバ１５＿１〜１５＿ｎで共有する際に、一時的に生成された同期処理サーバ１９を介して当該取得メタデータの送受信を行う。また、同期処理サーバ１９は当該送受信が完了すると消滅する。そのため、取得メタデータがどこかのサーバに長期間保持されていることはなく、ハッキングによる漏洩リストを低くできる。
また、同期処理サーバ１９は仮想サーバであるため、人物認証サーバ１５＿１〜１５＿ｎと同期処理サーバ１９との間の通信路のセキュリティレベルを下げても一定の安全性を保つことができ、低価格化を図ることができる。
【００７０】
＜第２実施形態＞
図７は、本発明の第２実施形態に係わる認証システム１０１の全体構成図である。
図７に示すように、認証システム１０１は、例えば認証機能付カメラ１１３＿１〜１１３＿ｎ、人物認証サーバ１５＿１〜１５＿ｎ、管理サーバ１７及び同期処理サーバ１９を有する。
【００７１】
認証機能付カメラ１１３＿１〜１１３＿ｎは、第１実施形態で説明したカメラ１３＿１〜１３＿ｎと人物認証サーバ１５＿１〜１５＿ｎとの機能を備えたカメラである。
管理サーバ１７は、第１実施形態の場合と同様に、同期処理サーバ１９を生成し、認証機能付カメラ１１３＿１〜１１３＿ｎから受信した取得メタデータを同期処理サーバ１９に送信する。
同期処理サーバ１９は、当該取得メタデータを、他の認証機能付カメラ１１３＿１〜１１３＿ｎに送信する。
【００７２】
認証システム１０１によっても、第１実施形態の認証システム１と同様の効果が得られる。
【００７３】
＜第３実施形態＞
本実施形態は、図１と同じ構成を有するが、動作例が異なる。
以下、本実施形態の認証システム１の動作例を説明する。
図８は、本発明の第３実施形態に係わる認証システム１の動作例を説明するためのフローチャートである。
以下、図８に示す各ステップを説明する。
【００７４】
ステップＳＴ３１：
カメラ１３＿１〜１３＿ｎは、映像を撮像する撮像手段を有しており、撮像した映像データを人物認証サーバ１５＿１〜１５＿ｎにそれぞれ出力する。
【００７５】
ステップＳＴ３２：
人物認証サーバ１５＿１〜１５＿ｎは、対応するカメラ１３＿１〜１３＿ｎから入力した映像データを解析し、当該映像データに含まれる認証対象の所定の認証部位（例えば、顔）の特徴を抽出し、それを示す取得メタデータを生成する。
【００７６】
ステップＳＴ３３：
人物認証サーバ１５＿１〜１５＿ｎは、ステップＳＴ３２で生成した取得メタデータと、データベース３１から読み出した複数の認証用メタデータとを比較して人物の認証を行う。
【００７７】
人物認証サーバ１５＿１〜１５＿ｎは、例えば、複数の認証用データのうち、何れか一つでも所定の基準値（例えば９５％）を超えた一致度であれば認証成功とする。
人物認証サーバ１５＿１〜１５＿ｎは、認証結果をカメラ１３＿１〜１３＿ｎあるいは管理サーバ１７等の所定のサーバに送信する。例えば、人物認証サーバ１５＿１〜１５＿ｎは、認証に成功した場合に、当該認証した認証対象の認証対象識別情報を管理サーバ１７等に送信する。
【００７８】
ステップＳＴ３４：
ステップＳＴ３３で認証に成功した場合はステップＳＴ３５に進み、そうでない場合はステップＳＴ３１に戻る。
【００７９】
ステップＳＴ３５：
人物認証サーバ１５＿１〜１５＿ｎｈ、ステップＳＴ３での認証成功した場合に、当該認証に成功した取得メタデータについて認証部位のデータであるかの確信度を算出する。
そして、人物認証サーバ１５＿１〜１５＿ｎは、当該算出した確信度が所定の基準値を超え、且つ上記複数の認証用メタデータの確信度のうち最も小さい確信度より大きいという更新条件を満たしたか否かを判断し、当該更新条件を満たした場合にステップＳＴ３６に進み、そうでない場合にステップＳＴ３１に戻る。
【００８０】
ステップＳＴ３６：
更新条件を満たしたと判断した人物認証サーバ１５＿１〜１５＿ｎは認証対象識別情報に対応する人物の複数の認証用メタデータのうち確信度が最も小さい認証用メタデータを、当該受信した取得メタデータで更新する更新処理を行う。
【００８１】
ステップＳＴ３７：
更新条件を満たしたと判断した物認証サーバ１５＿１〜１５＿ｎが、管理サーバ１７に認証用メタデータの更新要求を、取得メタデータ、認証対象識別情報及び認証サーバ識別情報と共に送信する。
管理サーバ１７は、受信したデータをデータベース５１に記憶する。
【００８２】
ステップＳＴ３８：
管理サーバ１７は、同期処理サーバ１９を仮想サーバとして生成する。
【００８３】
ステップＳＴ３９：
管理サーバ１７は、データベース５１から取得メタデータを読み出して認証対象識別情報と共に同期処理サーバ１９に送信する。その後、管理サーバ１７は、当該取得メタデータをデータベース５１から消去する。
【００８４】
ステップＳＴ４０：
同期処理サーバ１９は、管理サーバ１７から受信した取得メタデータ及び認証対象識別情報を、当該取得メタデータを管理サーバ１７に送信した人物認証サーバ以外の他の人物認証サーバ１５＿１〜１５＿ｎに送信する。
【００８５】
ステップＳＴ４１：
他の人物認証サーバ１５＿１〜１５＿ｎは、ステップＳＴ１０で同期処理サーバ１９から取得メタデータ及び認証対象識別情報を受信すると、それに対応するデータベース３１に記憶された認証用メタデータを更新する。具体的には、人物認証サーバ１５＿１〜１５＿ｎは、受信した認証対象識別情報に対応する人物の複数の認証用メタデータのうち確信度が最も小さい認証用メタデータを、当該受信した取得メタデータで更新する更新処理を行う。
【００８６】
ステップＳＴ４２：
管理サーバ１７は、同期処理サーバ１９を消去する。
【００８７】
以上説明したように、認証システム１によれば、いずれかの人物認証サーバ１５＿１〜１５＿ｎにおいて、一致度が更新基準値を超える取得メタデータが得られた場合に、それを他の人物認証サーバ１５＿１〜１５＿ｎに新たな認証用メタデータとして登録できる。これにより、人物認証サーバ１５＿１〜１５＿ｎにおける認証精度を高めることができる。すなわち、認証対象の人物が年齢等によって変化した場合でも、その変化に応じて認証データを更新できる。
【００８８】
また、認証システム１によれば、いずれかの人物認証サーバ１５＿１〜１５＿ｎにおいて得られた一致度が更新基準値を超える取得メタデータを他の人物認証サーバ１５＿１〜１５＿ｎに送信する際に、一時的に生成された同期処理サーバ１９を介して当該送信を行う。また、同期処理サーバ１９は当該送信が完了すると消滅する。そのため、取得メタデータがどこかのサーバに長期間保持されていることはなく、ハッキングによる漏洩リストを低くできる。
また、同期処理サーバ１９が仮想サーバであるため、人物認証サーバ１５＿１〜１５＿ｎと同期処理サーバ１９との間の通信路のセキュリティレベルを下げても一定の安全性を保つことができ、低価格化を図ることができる。
【００８９】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００９０】
上述した実施形態では、本発明の認証対象として、人物を例示したが、例えば、自然災害を早期に発見するために地形等、その他の対象でのよい。
【００９１】
また、上述した実施形態では、人物認証サーバ１５＿１〜１５＿ｎ及び認証機能付カメラ１１３＿１〜１１３＿ｎと、管理サーバ１７とを個別に設けたが、人物認証サーバ１５＿１〜１５＿ｎ及び認証機能付カメラ１１３＿１〜１１３＿ｎに管理サーバ１７の機能を持たせてもよい。
また、本発明は、人工知能の技術でディープラーニング（学習機能）を用いた優れた映像分析を行い、かつメタデータの更新においてもディープラーニング技術（学習技術）を用いてもよい。
また、上述した実施形態では、人物認証サーバ１５＿１〜１５＿ｎで確信度を計算した場合を例示したが、管理サーバ１７等、その他のサーバで計算するようにしてもよい。
【産業上の利用可能性】
【００９２】
本発明は、人物等の認証システムに適用可能である。
【符号の説明】
【００９３】
１，   １０１…認証システム
１３＿１〜１３＿ｎ…カメラ
１５＿１〜１５＿ｎ…人物認証サーバ
１７…管理サーバ
１９…同期サーバ
２７，４７…インタフェース
２９，４９…メモリ
３１，５１…データベース
３３，５３…処理部
１１３＿１〜１１３＿ｎ…認証機能付カメラ
【図１】
2020161123.tif 000003
【図２】
2020161123.tif 000004
【図３】
2020161123.tif 000005
【図４】
2020161123.tif 000006
【図５】
2020161123.tif 000007
【図６】
2020161123.tif 000008
【図７】
2020161123.tif 000009
【図８】
2020161123.tif 000010
【図９】
2020161123.tif 000011
【図１０】
2020161123.tif 000012
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
認証対象識別情報に対応付けて複数の認証用メタデータを記憶するデータベースを認証装置が有する場合に、複数の前記認証装置の各々が、対応する撮像手段が撮像した映像に含まれる認証対象の認証部位の特徴を示す取得メタデータを取得する第１の工程と、
前記認証装置が、前記第１の工程で取得した前記取得メタデータと前記データベースから読み出した複数の前記認証用メタデータとの一致度を算出し、当該一致度が所定の基準を超えた場合に認証に成功したとし、当該一致度が所定の基準を超えた前記認証用メタデータに対応する前記認証対象識別情報を特定する第２の工程と、
前記認証装置が、前記第２の工程で認証に成功した場合に、当該認証に成功した前記取得メタデータについて前記認証部位のデータであるかの確信度が前記特定した前記認証対象識別情報に対応する人物の複数の前記認証用メタデータの前記確信度のうち最も小さい前記確信度より大きいという更新条件を満たす場合に、管理サーバに前記特定した認証対象識別情報と前記認証用メタデータの更新要求を送信する第３の工程と、
前記管理サーバが前記認証装置から受信した前記更新要求に応じて同期処理サーバを生成する第４の工程と、
前記同期処理サーバが、前記更新要求を送信した前記認証装置から直接又は間接的に受信した前記取得メタデータと前記認証対象識別情報とを他の前記認証装置に送信する第５の工程と、
前記第５の工程で前記取得メタデータを受信した前記他の認証装置及び前記更新要求を送信した前記認証装置が、前記特定した前記認証対象識別情報に対応する人物の複数の前記認証用メタデータのうち前記確信度が最も小さい前記認証用メタデータを、前記受信した取得メタデータで更新処理する第６の工程と
を有する認証方法。
【請求項２】
前記第２の工程において、前記認証装置は、複数の照合用認証対象の各々にそれぞれ対応付けられた複数の前記認証用メタデータと前記取得メタデータとを比較し、前記取得メタデータが前記複数の照合用認証対象のいずれかに一致しているかを認証する
請求項１に記載の認証方法。
【請求項３】
前記第５の工程において、前記同期処理サーバが、前記取得メタデータと共に受信した前記認証対象識別情報を前記他の認証装置に送信し、
前記第６の工程において、前記他の認証装置が、受信した前記認証対象識別情報を基に、前記更新処理を行う
請求項２に記載の認証方法。
【請求項４】
前記第３の工程において、前記認証装置は、前記撮像した映像に含まれる前記認証対象の認証部位の画像データを基に、前記取得メタデータの前記確信度を計算し、
前記認証用メタデータには、予め計算された前記確信度が対応付けられている
請求項３に記載の認証方法。
【請求項５】
前記認証対象の認証部位が人間の顔である場合に、前記認証装置は、前記認証対象の認証部位の画像データから、人間の頭、左右目及び口の輪郭を特定し、
前記特定した頭の幅Ｌｆと、前記特定した左右目の重心位置の距離Ｌｅと、前記特定した口の重心位置と前記左右目の重心位置との距離Ｌｍとを基に、前記確信度を計算する
請求項１〜４のいずれかに記載の認証方法。
【請求項６】
前記第２の工程において、前記認証装置は、複数の前記認証用メタデータと前記取得メタデータとを基に、顔の輪郭、顔の特定部位間の距離及び角度の一致度合いを示す一致度データを算出し、当該一致度データを基に前記認証を行う
請求項１〜５のいずれかに記載の認証方法。
【請求項７】
前記第３の工程は、前記確信度が所定の基準値を超え、且つ、当該確信度が前記複数の認証用メタデータの前記確信度のうち最も小さい前記確信度より大きい場合に、前記更新条件を満たすと判断する
請求項１〜６のいずれかに記載の認証方法。
【請求項８】
前記第５の工程の後に、前記管理サーバが前記同期処理サーバを消去する第７の工程
をさらに有する
請求項１〜７のいずれかに記載の認証方法。
【請求項９】
前記撮像手段と前記認証装置とを収容したカメラ
を有する請求項１〜８のいずれかに記載の認証方法。
【請求項１０】
前記取得メタデータ及び前記認証用メタデータは、人物の顔又は体型（骨格、身長）の特徴データ、性別データ、年齢データ、歩幅データ、歩行速度データ、重心位置データの少なくとも一つを含む
請求項１〜９のいずれかに記載の認証方法。
【請求項１１】
複数の撮像手段と、
前記複数の撮像手段の各々に対応しており、認証対象識別情報に対応付けて複数の認証用メタデータを記憶するデータベースを有する複数の認証装置と、
管理装置と
を有し、
前記複数の認証装置の各々が、対応する前記撮像手段が撮像した映像に含まれる認証対象の認証部位の特徴を示す取得メタデータを取得し、
前記認証装置が、前記取得した取得メタデータと前記データベースから読み出した複数の前記認証用メタデータとの一致度を算出し、当該一致度が所定の基準を超えた場合に認証に成功したとし、当該一致度が所定の基準を超えた前記認証用メタデータに対応する前記認証対象識別情報を特定し、
前記認証装置が、前記認証に成功した場合に、当該認証に成功した前記取得メタデータについて前記認証部位のデータであるかの確信度が前記特定した前記認証対象識別情報に対応する人物の複数の前記認証用メタデータの前記確信度のうち最も小さい前記確信度より大きいという更新条件を満たす場合に、管理サーバに前記特定した認証対象識別情報と前記認証用メタデータの更新要求を送信し、
前記前記管理サーバが前記認証装置から受信した前記更新要求に応じて同期処理サーバを生成し、
前記同期処理サーバが、前記更新要求を送信した前記認証装置から直接又は間接的に受信した前記取得メタデータと前記認証対象識別情報とを他の前記認証装置に送信し、
前記同期処理サーバから前記取得メタデータを受信した前記他の認証装置及び前記更新要求を送信した前記認証装置が、前記特定した前記認証対象識別情報に対応する人物の複数の前記認証用メタデータのうち前記確信度が最も小さい前記認証用メタデータを、前記受信した取得メタデータで更新処理する
認証システム。
【請求項１２】
前記同期処理サーバが前記取得メタデータを前記他の前記認証装置に送信した後に、前記管理サーバが前記同期処理サーバを消去する
請求項１１に記載の認証システム。
【手続補正２】
【補正対象書類名】明細書
【補正対象項目名】０００７
【補正方法】変更
【補正の内容】
【０００７】
上述した従来技術の問題を解決し、上述した目的を達成するために、本発明の認証方法は、認証対象識別情報に対応付けて複数の認証用メタデータを記憶するデータベースを認証装置が有する場合に、複数の前記認証装置の各々が、対応する撮像手段が撮像した映像に含まれる認証対象の認証部位の特徴を示す取得メタデータを取得する第１の工程と、前記認証装置が、前記第１の工程で取得した前記取得メタデータと前記データベースから読み出した複数の前記認証用メタデータとの一致度を算出し、当該一致度が所定の基準を超えた場合に認証に成功したとし、当該一致度が所定の基準を超えた前記認証用メタデータに対応する前記認証対象識別情報を特定する第２の工程と、前記認証装置が、前記第２の工程で認証に成功した場合に、当該認証に成功した前記取得メタデータについて前記認証部位のデータであるかの確信度が前記特定した前記認証対象識別情報に対応する人物の複数の前記認証用メタデータの前記確信度のうち最も小さい前記確信度より大きいという更新条件を満たす場合に、管理サーバに前記特定した認証対象識別情報と前記認証用メタデータの更新要求を送信する第３の工程と、前記管理サーバが前記認証装置から受信した前記更新要求に応じて同期処理サーバを生成する第４の工程と、前記同期処理サーバが、前記更新要求を送信した前記認証装置から直接又は間接的に受信した前記取得メタデータと前記認証対象識別情報とを他の前記認証装置に送信する第５の工程と、前記第５の工程で前記取得メタデータを受信した前記他の認証装置及び前記更新要求を送信した前記認証装置が、前記特定した前記認証対象識別情報に対応する人物の複数の前記認証用メタデータのうち前記確信度が最も小さい前記認証用メタデータを、前記受信した取得メタデータで更新処理する第６の工程とを有する。
【手続補正３】
【補正対象書類名】明細書
【補正対象項目名】００１７
【補正方法】変更
【補正の内容】
【００１７】
本発明の認証システムは、複数の撮像手段と、前記複数の撮像手段の各々に対応しており、認証対象識別情報に対応付けて複数の認証用メタデータを記憶するデータベースを有する複数の認証装置と、管理装置とを有し、前記複数の認証装置の各々が、対応する前記撮像手段が撮像した映像に含まれる認証対象の認証部位の特徴を示す取得メタデータを取得し、前記認証装置が、前記取得した取得メタデータと前記データベースから読み出した複数の前記認証用メタデータとの一致度を算出し、当該一致度が所定の基準を超えた場合に認証に成功したとし、当該一致度が所定の基準を超えた前記認証用メタデータに対応する前記認証対象識別情報を特定し、前記認証装置が、前記認証に成功した場合に、当該認証に成功した前記取得メタデータについて前記認証部位のデータであるかの確信度が前記特定した前記認証対象識別情報に対応する人物の複数の前記認証用メタデータの前記確信度のうち最も小さい前記確信度より大きいという更新条件を満たす場合に、管理サーバに前記特定した認証対象識別情報と前記認証用メタデータの更新要求を送信し、前記前記管理サーバが前記認証装置から受信した前記更新要求に応じて同期処理サーバを生成し、前記同期処理サーバが、前記更新要求を送信した前記認証装置から直接又は間接的に受信した前記取得メタデータと前記認証対象識別情報とを他の前記認証装置に送信し、前記同期処理サーバから前記取得メタデータを受信した前記他の認証装置及び前記更新要求を送信した前記認証装置が、前記特定した前記認証対象識別情報に対応する人物の複数の前記認証用メタデータのうち前記確信度が最も小さい前記認証用メタデータを、前記受信した取得メタデータで更新処理する。
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
認証対象識別情報に対応付けて複数の認証用メタデータを記憶するデータベースを認証装置が有する場合に、複数の前記認証装置の各々が、対応する撮像手段が撮像した映像に含まれる認証対象の認証部位の特徴を示す取得メタデータを取得する第１の工程と、
前記認証装置が、前記第１の工程で取得した前記取得メタデータと前記データベースから読み出した複数の前記認証用メタデータとの一致度を算出し、当該一致度が所定の基準を超えた場合に認証に成功したとし、当該一致度が所定の基準を超えた前記認証用メタデータに対応する前記認証対象識別情報を特定する第２の工程と、
前記認証装置が、前記第２の工程で認証に成功した場合に、当該認証に成功した前記取得メタデータについて前記認証部位のデータであるかの確信度が前記特定した前記認証対象識別情報に対応する人物の複数の前記認証用メタデータの前記確信度のうち最も小さい前記確信度より大きいという更新条件を満たす場合に、管理サーバに前記特定した認証対象識別情報と前記認証用メタデータの更新要求を送信する第３の工程と、
前記管理サーバが前記認証装置から受信した前記更新要求に応じて同期処理サーバを生成する第４の工程と、
前記同期処理サーバが、前記更新要求を送信した前記認証装置から直接又は間接的に受信した前記取得メタデータと前記認証対象識別情報とを他の前記認証装置に送信する第５の工程と、
前記第５の工程で前記取得メタデータを受信した前記他の認証装置及び前記更新要求を送信した前記認証装置が、前記特定した前記認証対象識別情報に対応する人物の複数の前記認証用メタデータのうち前記確信度が最も小さい前記認証用メタデータを、前記受信した取得メタデータで更新処理する第６の工程と
を有する認証方法。
【請求項２】
前記第２の工程において、前記認証装置は、複数の照合用認証対象の各々にそれぞれ対応付けられた複数の前記認証用メタデータと前記取得メタデータとを比較し、前記取得メタデータが前記複数の照合用認証対象のいずれかに一致しているかを認証する
請求項１に記載の認証方法。
【請求項３】
前記第５の工程において、前記同期処理サーバが、前記取得メタデータと共に受信した前記認証対象識別情報を前記他の認証装置に送信し、
前記第６の工程において、前記他の認証装置が、受信した前記認証対象識別情報を基に、前記更新処理を行う
請求項２に記載の認証方法。
【請求項４】
前記第３の工程において、前記認証装置は、前記撮像した映像に含まれる前記認証対象の認証部位の画像データを基に、前記取得メタデータの前記確信度を計算し、
前記認証用メタデータには、予め計算された前記確信度が対応付けられている
請求項３に記載の認証方法。
【請求項５】
前記認証対象の認証部位が人間の顔である場合に、前記認証装置は、前記認証対象の認証部位の画像データから、人間の頭、左右目及び口の輪郭を特定し、
前記特定した頭の幅Ｌｆと、前記特定した左右目の重心位置の距離Ｌｅと、前記特定した口の重心位置と前記左右目の重心位置との距離Ｌｍとを基に、前記確信度を計算する
請求項１〜４のいずれかに記載の認証方法。
【請求項６】
前記第２の工程において、前記認証装置は、複数の前記認証用メタデータと前記取得メタデータとを基に、顔の輪郭、顔の特定部位間の距離及び角度の一致度合いを示す一致度データを算出し、当該一致度データを基に前記認証を行う
請求項１〜５のいずれかに記載の認証方法。
【請求項７】
前記第３の工程は、前記確信度が所定の基準値を超え、且つ、当該確信度が前記複数の認証用メタデータの前記確信度のうち最も小さい前記確信度より大きい場合に、前記更新条件を満たすと判断する
請求項１〜６のいずれかに記載の認証方法。
【請求項８】
前記第５の工程の後に、前記管理サーバが前記同期処理サーバを消去する第７の工程
をさらに有する
請求項１〜７のいずれかに記載の認証方法。
【請求項９】
前記撮像手段と前記認証装置とを収容したカメラ
を有する請求項１〜８のいずれかに記載の認証方法。
【請求項１０】
前記取得メタデータ及び前記認証用メタデータは、人物の顔又は体型（骨格、身長）の特徴データ、性別データ、年齢データ、歩幅データ、歩行速度データ、重心位置データの少なくとも一つを含む
請求項１〜９のいずれかに記載の認証方法。
【請求項１１】
複数の撮像手段と、
前記複数の撮像手段の各々に対応しており、認証対象識別情報に対応付けて複数の認証用メタデータを記憶するデータベースを有する複数の認証装置と、
管理装置と
を有し、
前記複数の認証装置の各々が、対応する前記撮像手段が撮像した映像に含まれる認証対象の認証部位の特徴を示す取得メタデータを取得し、
前記認証装置が、前記取得した取得メタデータと前記データベースから読み出した複数の前記認証用メタデータとの一致度を算出し、当該一致度が所定の基準を超えた場合に認証に成功したとし、当該一致度が所定の基準を超えた前記認証用メタデータに対応する前記認証対象識別情報を特定し、
前記認証装置が、前記認証に成功した場合に、当該認証に成功した前記取得メタデータについて前記認証部位のデータであるかの確信度が前記特定した前記認証対象識別情報に対応する人物の複数の前記認証用メタデータの前記確信度のうち最も小さい前記確信度より大きいという更新条件を満たす場合に、管理サーバに前記特定した認証対象識別情報と前記認証用メタデータの更新要求を送信し、
前記管理サーバが前記認証装置から受信した前記更新要求に応じて同期処理サーバを生成し、
前記同期処理サーバが、前記更新要求を送信した前記認証装置から直接又は間接的に受信した前記取得メタデータと前記認証対象識別情報とを他の前記認証装置に送信し、
前記同期処理サーバから前記取得メタデータを受信した前記他の認証装置及び前記更新要求を送信した前記認証装置が、前記特定した前記認証対象識別情報に対応する人物の複数の前記認証用メタデータのうち前記確信度が最も小さい前記認証用メタデータを、前記受信した取得メタデータで更新処理する
認証システム。
【請求項１２】
前記同期処理サーバが前記取得メタデータを前記他の前記認証装置に送信した後に、前記管理サーバが前記同期処理サーバを消去する
請求項１１に記載の認証システム。
【手続補正２】
【補正対象書類名】明細書
【補正対象項目名】００１７
【補正方法】変更
【補正の内容】
【００１７】
本発明の認証システムは、複数の撮像手段と、前記複数の撮像手段の各々に対応しており、認証対象識別情報に対応付けて複数の認証用メタデータを記憶するデータベースを有する複数の認証装置と、管理装置とを有し、前記複数の認証装置の各々が、対応する前記撮像手段が撮像した映像に含まれる認証対象の認証部位の特徴を示す取得メタデータを取得し、前記認証装置が、前記取得した取得メタデータと前記データベースから読み出した複数の前記認証用メタデータとの一致度を算出し、当該一致度が所定の基準を超えた場合に認証に成功したとし、当該一致度が所定の基準を超えた前記認証用メタデータに対応する前記認証対象識別情報を特定し、前記認証装置が、前記認証に成功した場合に、当該認証に成功した前記取得メタデータについて前記認証部位のデータであるかの確信度が前記特定した前記認証対象識別情報に対応する人物の複数の前記認証用メタデータの前記確信度のうち最も小さい前記確信度より大きいという更新条件を満たす場合に、管理サーバに前記特定した認証対象識別情報と前記認証用メタデータの更新要求を送信し、前記管理サーバが前記認証装置から受信した前記更新要求に応じて同期処理サーバを生成し、前記同期処理サーバが、前記更新要求を送信した前記認証装置から直接又は間接的に受信した前記取得メタデータと前記認証対象識別情報とを他の前記認証装置に送信し、前記同期処理サーバから前記取得メタデータを受信した前記他の認証装置及び前記更新要求を送信した前記認証装置が、前記特定した前記認証対象識別情報に対応する人物の複数の前記認証用メタデータのうち前記確信度が最も小さい前記認証用メタデータを、前記受信した取得メタデータで更新処理する。